(57)【特許請求の範囲】
【請求項１】
網を有し魚雷に絡み付いて爆発する機雷であって、 該機雷は網に取着され固着していており、 該網に備え付けられた機雷はスクリューを利用して網を開き、該複数の機雷が網に取着され固着していて、該機雷は水深が深いほど比重は大きくする事を特徴とした機雷。
【発明の詳細な説明】
【技術分野】
【０００１】
本発明は、魚雷からの防御に関するものである。
【背景技術】
【０００２】
現在では船舶が、自身を魚雷から守る防御手段は無かった。
【発明の開示】
【発明が解決しようとする課題】
【０００３】
船舶が自身が搭載する手段で、魚雷から自身を守らせる。
【０００４】
本発明は以上のような状況に鑑みてなされたものであって、その目的とするところは、
船舶等が備えるソナーで感知した情報に基づき、機雷を有し魚雷に絡み付いて爆発する網を魚雷の進行方向前で水面下で開く。
【課題を解決するための手段】
【０００５】
本発明の目的は、魚雷の動きを船、船と機雷、若しくは、機雷に備え付けられたソナーが感知した情報に基づき、機雷を取着され固着した網で魚雷に絡み付いて爆発し、前記網を魚雷の進行方向前で水面下で開き、必要に応じては網全体を移動する事を特徴とした機雷を提供する事に有る。
【０００６】
ようするに、網は少なくともソナーを有する事により前記の目的を達成し易くなる。
【０００７】
又、本発明は前記網を有し魚雷に絡み付いて爆発する機雷であって、 該機雷は網に取着され固着しており、該前記網は水面下でスクリュー、又は、推進装置を利用して開く事を特徴とした機雷にする。
【０００８】
そして、前記網を有する機雷は、複数の機雷が網に取着され固着している事を特徴とした機雷にする。
【０００９】
又、前記網に備え付けられた機雷は低周波発生装置、又は、電磁波発生装置が備えられた事を特徴とする機雷にする事により、各々の機雷どうしが連絡し会うことによりそれぞれの位置情報、その他の情報を認識出来る。又、前記網に備え付けられた機雷はコンピューター、若しくは電子計算機を内蔵する事によりにより効率的な位置等を計算し、効率的な位置に移動して網を開き魚雷に絡む事ができる。
【００１０】
又、 機雷は水深が深いほど比重は大きくする事により、水の中にその網を投げ入れた場合、網が絡みづらくなり、位置安定度が増す。
【００１１】
そして、前記網は少なくとも機雷２を３個以上有する事により、より確実に魚雷を破壊する。
【００１２】
少なくとも爆弾を防水手段を装備した機雷に入れられ、該前記網は魚雷に絡み付くように開く事を特徴とした防御システムを提供する事に有る。
【００１３】
又、本発明は、その機雷を３個以上備え着けられた網を魚雷進行方向前方に投与し、 該前記網は魚雷に絡み付くように開く事を特徴とした防御システムを提供する事に有る。
【００１４】
そして前記網は魚雷進行方向に対して入射角度が３０度以上あるように開く事を特徴とした防御システム。
【００１５】
そして備え付けられた前記爆弾は各々の距離が近づくと爆発する事を特徴とした前記記載の防御システム。
【００１６】
備え付けられた爆弾は設定時間が来ると無力化する事を特徴とした前記記載の防御システム。
【発明の効果】
【００１７】
本発明により魚雷攻撃から船舶を守る事が出来た。
【図面の簡単な説明】
【００１８】
【図１】本発明を側方から見た図である。
【図２】本発明の断面図である。
【図３】本発明の網が絡んだ図である。
【図４】本発明の入射角の図である。
【発明を実施するための最良の形態】
【００１９】
本発明による魚雷防御システムを図１乃至図４を参照しつつ詳細に説明する。
【００２０】
図１は本発本発明の網に備え付けられた機雷３を開き、機雷２を備えた図である。
【００２１】
網１に備え付けられた（取着され固着された）機雷２はそれぞれ間隔を有している。
【００２２】
横に並ぶ網１に備え付けた機雷２ａ、機雷２ｃは重力線方向に対して横に位置させるために、機雷２ａと機雷２ｂの比重は同じにしている。
【００２３】
又、網１に備え付けられた機雷２ａ、機雷２ｂはそれを開いた場合、重力線方向に縦に位置しており、それを簡単に実現させるために、機雷２ｂは、機雷２ａより比重を大きくしている。
【００２４】
図説しないが、重力方向に縦軸に並ぶ機雷２は、比重が上に位置するほど、小さくする。例えば機雷２ａを最上部としてその下に機雷２ｂ、機雷２ｂの下に機雷２ｋ、機雷２ｋの下に機雷２ｎと縦軸方向の下に行くほど比重を大きくする。網１に備え付けられた機雷２は、比重は下に行くほど大きくする（比重、機雷２ａ＜機雷２ｂ＜機雷２ｋ＜機雷２ｎ）
【００２５】
尚、機雷２は機雷を総称しており、機雷２ａ、２ｂ、２ｃ、２ｄ、２ｋ、２ｎ等は、図面上説明し易いようにアルファベットを付けた。
【００２６】
機雷２ａ、２ｂ、２ｃ、２ｄのそれぞれの距離は２０ｃｍ以上５００ｃｍ以内が望ましい。  又、図説しないが機雷２が図に示す４個より多い、５個以上の場合も同様とする。尚、図説では機雷２は４個しか付いていないが９個着けて開けば防御範囲を広める事が出来、１６個着けて開けばさらに防御範囲が広まる。
【００２７】
図２は機雷２の断面図で、アンテナ１１、魚雷感知用ソナー１２、爆薬１３、電池１４、位置保持システム（機雷の位置を保持、移動するためのシステムであり、目的の位置に推進する為の手段を搭載している。推進手段には、モータ稼働のスクリューを含む）１５、機雷対機雷通信システム（機雷同士が各々の位置等を感知し合う電磁波による通信システム）１６、速度感知装置（スピードセンサー）１７、中央制御部１８、電池１９、水深計２０である。
【００２８】
尚、機雷２に内蔵された各々の部品、及び、システムは、電子計算機、若しくは、コンピューターにより制御される中央制御部１８より連絡しあい制御され、網が魚雷を絡む様に制御され、絡んだ際に爆発し破壊する。  例えば、魚雷感知用ソナー１２で目的の魚雷進行、水深を予測してを予測し位置保持システム１５のスクリュー等を利用してその目的の場所に移動する。
【００２９】
そして、各機雷２は各々（図１では、機雷２ａ、機雷２ｂ、機雷２ｃ、機雷２ｄ）の機雷対機雷通信システムに内蔵された低周波通信システムにより通信しあい、その情報を基に位置保持システムは機雷の外側に備えられたスクリューの稼働により網が開く様に動く。
【００３０】
尚、図説されないスクリューは、機雷２の各々の位置を保持、移動させるために水流方向を自由自在に変える事が出来る。
【００３１】
そして、機雷内の装置、部品は防水装備された機雷２により保護されている。
【００３２】
尚、その他の書かれていない機雷に必要な構造は、従来の機雷構造と同じである。例えば機雷に船、魚雷が接触した場合に爆発する仕組みなど。   
【００３３】
この構造により魚雷感知用ソナーにより魚雷４を感知した情報と、機雷２のそれぞれの位置を位置感知用ソナーによる情報をを基にして、スクリューを備えた位置保持システムによりそれぞれの機雷２ａ、２ｂ、２ｃ(図１）を位置づける。
【００３４】
図３は、実際に魚雷４に対して絡む機雷２が装備された網（魚雷防御システム）が絡み付いた図である。
【００３５】
機雷２は、内装された速度感知装置１７により魚雷に絡み付いた場合、機雷２のスピードが上がりそれを感知して自爆発する様に作られている。
【００３６】
この事により魚雷４を破壊する。この図３は、機雷２を横に５個×縦に５個で２５個を備え付けた網に備え付けられた機雷３を用いている。
【００３７】
尚、機雷２の爆薬量は１個でも魚雷４を破壊出来る量を内蔵されている。
【００３８】
機雷２のスピードセンサーの感知は１５ノット以上に設定し起爆装置に発動させる事により、より確実に魚雷を破壊出来る。
【００３９】
図４は魚雷４が網１に絡む前の図である。
【００４０】
魚雷４の進行方向５に対して、網１に対する入射角６は直角である９０度が理想だが、少なくても３０度以上が必要なために、機雷２のシステムを利用して、この範囲内にシステムをセットするが、なるべく理想の９０度に近づける様にセットする。
【００４１】
前記構造により、魚雷から船舶を守る事が出来た。
【符号の説明】
【００４２】
１  網
２  機雷
３  本発明の網に備え付けられた機雷
【要約】
【課題】  
魚雷から船を守るための機雷を提供する。
【解決手段】
網を有し魚雷に絡み付いて爆発する機雷であって、 機雷は網に取着され固着していて、前記網は水面下で網を開く事を特徴とした機雷にする。
【選択図】  図１【図１】
0006782902.tif 000002
【図２】
0006782902.tif 000003
【図３】
0006782902.tif 000004
【図４】
0006782902.tif 000005